(57)【要約】【課題】  ユーザは、ジョブを実行することによって、カラー印刷用シートとモノクロ印刷用シートとが混在する可能性がある場合に、その旨を、ジョブを実行する前に確認することができない。【解決手段】  ジョブを実行することにより、カラー印刷用シートが収納された収納部とモノクロ印刷用シートが収納された収納部の両方からシートが搬送される可能性がある場合、ジョブを実行する前にユーザに通知する。【選択図】  図６
2013167872.tif 000002
【特許請求の範囲】
【請求項１】
複数の収納部のうちいずれかからシートを搬送し、搬送されたシートに対して画像を形成する画像形成装置であって、
複数枚のシートに画像を形成するためのジョブを実行する実行手段と、
前記実行手段が前記ジョブを実行することによって複数枚のシートに形成される画像がカラー画像であるか、モノクロ画像であるかをページごとに判定する判定手段と、
前記判定手段によってカラー画像であると判定されたページの画像を形成するために、前記複数の収納部のうちカラー印刷用シートが収納された収納部からシートを搬送し、前記判定手段によってモノクロ画像であると判定されたページの画像を形成するために、前記複数の収納部のうちモノクロ印刷用シートが収納された収納部からシートを搬送する搬送制御手段と、
前記実行手段によって前記ジョブを実行することにより、前記カラー印刷用シートが収納された収納部と前記モノクロ印刷用紙が収納された収納部の両方からシートが前記搬送制御手段によって搬送される可能性がある場合、前記ジョブを実行する前にユーザに通知する通知手段とを備えることを特徴とする画像形成装置。
【請求項２】
複数の収納部のうちいずれかからシートを搬送し、搬送されたシートに対して画像を形成する画像形成装置であって、
複数枚のシートに画像を形成するためのジョブを実行する実行手段と、
前記実行手段が前記ジョブを実行することによって複数枚のシートに形成される画像がカラー画像であるか、モノクロ画像であるかをページごとに判定する判定手段と、
前記判定手段によってカラー画像であると判定されたページの画像を形成するために、前記複数の収納部のうちカラー印刷用シートが収納された収納部からシートを搬送し、前記判定手段によってモノクロ画像であると判定されたページの画像を形成するために、前記複数の収納部のうちモノクロ印刷用シートが収納された収納部からシートを搬送する第１の搬送モードと、
前記判定手段による判定によらずに、前記複数の収納部のうちカラー印刷用シートが収納された収納部または前記複数の収納部のうちモノクロ印刷用シートが収納された収納部のいずれか一方からシートを搬送する第２の搬送モードのいずれかの搬送モードでシートを搬送する搬送制御手段とを有し、
前記カラー印刷用シートが収納された収納部と、前記モノクロ印刷用シートが収納された収納部の両方からシートが前記第１の搬送モードで搬送される可能性がある場合に、前記搬送制御手段は、ユーザの指示に従って、前記実行手段によって前記ジョブを実行することによって画像が形成されるシートを前記第１の搬送モードと前記第２の搬送モードのいずれかの搬送モードで搬送する
ことを特徴とする画像形成装置。
【請求項３】
前記ユーザの指示は収納部を選択する指示を含み、前記収納部を選択する指示を受け付けた場合に、前記搬送制御手段は、前記実行手段によって前記ジョブを実行することによって画像が形成されるシートを前記指示によって選択された収納部から搬送することを特徴とする請求項２に記載の画像形成装置。
【請求項４】
前記指示は、前記ジョブのページの画像を形成するために前記カラー印刷用シートを使用するか、または前記モノクロ印刷用シートを使用するかを選択する指示を含み、
前記搬送制御手段は、前記カラー印刷用シートを使用するよう指示された場合、前記ジョブのページの画像を形成するために前記複数の収納部のうちカラー印刷用シートが収納された収納部からシートを搬送し、前記モノクロ印刷用シートを使用するよう指示された場合、前記ジョブのページの画像を形成するために前記複数の収納部のうちモノクロ印刷用シートが収納された収納部からシートを搬送することを特徴とする請求項２に記載の画像形成装置。
【請求項５】
前記判定手段によって前記実行手段が前記ジョブを実行することによって形成される画像がカラー画像であるか、モノクロ画像であるかをページごとに判定するオートカラーセレクト機能を有効にするか否かを設定する第１の設定手段と、
ページごとにページの情報に従って使用する収納部を選択する選択機能を有効にするか否かを設定する第２の設定手段と、
前記第１の設定手段によって前記オートカラーセレクト機能が有効に設定され、前記第２の設定手段によって前記選択機能が有効に設定された場合に、前記実行手段によって前記ジョブを実行することにより、前記カラー印刷用シートが収納された収納部と、前記モノクロ印刷用シートが収納された収納部の両方からシートが搬送される可能性があると判断する判断手段とをさらに有することを特徴とする請求項１乃至４のいずれか１項に記載の画像形成装置。
【請求項６】
原稿の画像を読み取る読取手段をさらに有し、
前記実行手段は、前記シートに、前記読取手段によって読み取られた画像を形成するためのジョブを実行することを特徴とする請求項１乃至５のいずれか１項に記載の画像形成装置。
【請求項７】
外部装置からネットワークを介して画像を受信する受信手段をさらに有し、
前記実行手段は、前記シートに、前記受信手段によって受信された画像を形成するためのジョブを実行することを特徴とする請求項１乃至６のいずれか１項に記載の画像形成装置。
【請求項８】
１枚のシートにカラー画像とモノクロ画像の両方を印刷する設定がされている場合に、当該カラー画像とモノクロ画像をカラー印刷用紙に印刷するか、モノクロ印刷用紙に印刷するかを選択する選択手段をさらに備えることを特徴とする請求項１に記載の画像形成装置。
【請求項９】
前記１枚のシートにカラー画像とモノクロ画像の両方を印刷する設定は、両面印刷の設定、または、縮小レイアウトの設定、または、製本用の印刷の設定であることを特徴とする請求項８に記載の画像形成装置。
【請求項１０】
複数の収納部のうちいずれかからシートを搬送し、搬送されたシートに対して画像を形成する画像形成装置の制御方法であって、
複数枚のシートに画像を形成するためのジョブを実行する実行工程と、
前記実行工程で前記ジョブを実行することによって複数枚のシートに形成される画像がカラー画像であるか、モノクロ画像であるかをページごとに判定する判定工程と、
前記判定工程でカラー画像であると判定されたページの画像を形成するために、前記複数の収納部のうちカラー印刷用シートが収納された収納部からシートを搬送し、前記判定工程でモノクロ画像であると判定されたページの画像を形成するために、前記複数の収納部のうちモノクロ印刷用シートが収納された収納部からシートを搬送する搬送制御工程と、
前記実行工程で前記ジョブを実行することにより、前記カラー印刷用シートが収納された収納部と前記モノクロ印刷用シートが収納された収納部の両方からシートが前記搬送制御工程で搬送される可能性がある場合、前記ジョブを実行する前にユーザに通知する通知工程とを備えることを特徴とする画像形成装置の制御方法。
【請求項１１】
請求項１０に記載の画像形成装置の制御方法を、コンピュータに実行させるためのプログラム。
【発明の詳細な説明】
【技術分野】
【０００１】
本発明は、画像形成装置、画像形成装置の制御方法、及びプログラムに関するものである。
【背景技術】
【０００２】
従来、印刷対象の複数ページの画像のうち、カラーページの画像はカラー印刷用シートに印刷し、モノクロページの画像はモノクロ印刷用シート（普通紙等）に印刷する画像形成装置がある（特許文献１参照）。
このような画像形成装置によれば、複数枚の原稿の画像のうち、カラー画像はカラー印刷用シートに印刷することによって画像の品質を良くすることができる。また、モノクロ画像をモノクロ印刷用シートに印刷することによってシートにかかるコストを抑えることができる。
【先行技術文献】
【特許文献】
【０００３】
【特許文献１】特開平１１−００３００１号公報
【発明の概要】
【発明が解決しようとする課題】
【０００４】
しかしながら、カラーページとモノクロページが混在するジョブを実行する場合、カラー印刷用シートとモノクロ印刷用シートとが混在した印刷物が出力されるので、印刷物を束として見たときにカラーページとモノクロページとでシートの色や材質が異なってしまう。
【０００５】
ユーザは、顧客に配布する配布物や会議の配布資料等、印刷物の使用目的に応じては、１つのジョブの印刷物の中に、カラー印刷用シートとモノクロ印刷用シートとを混在させたくない場合がある。ところが、従来の画像形成装置で、ユーザは、ジョブを実行することによって、カラー印刷用シートとモノクロ印刷用シートとが混在する可能性があることを、ジョブを実行する前に確認することができない。そのため、シートの混在を望まないユーザは、ジョブを実行した後にカラー印刷用シートとモノクロ印刷用シートとが混在した印刷物を見て、再度、使いたいシートがセットされた収納部を指定してジョブを実行することとなり、シートが無駄に消費されてしまう。
【０００６】
本発明は、上記の課題に鑑みてなされたものであり、ユーザは、ジョブを実行することによってカラー印刷用シートとモノクロ印刷用シートとが混在する可能性がある場合に、その旨を、ジョブを実行する前に確認することができる仕組みを提供することを目的とする。
【課題を解決するための手段】
【０００７】
複数の収納部のうちいずれかからシートを搬送し、搬送されたシートに対して画像を形成する画像形成装置であって、複数枚のシートに画像を形成するためのジョブを実行する実行手段と、実行手段が前記ジョブを実行することによって複数枚のシートに形成される画像がカラー画像であるか、モノクロ画像であるかをページごとに判定する判定手段と、判定手段によってカラー画像であると判定されたページの画像を形成するために、複数の収納部のうちカラー印刷用シートが収納された収納部からシートを搬送し、判定手段によってモノクロ画像であると判定されたページの画像を形成するために、複数の収納部のうちモノクロ印刷用シートが収納された収納部からシートを搬送する搬送制御手段と、実行手段によってジョブを実行することにより、カラー印刷用シートが収納された収納部とモノクロ印刷用シートが収納された収納部の両方からシートが搬送制御手段によって搬送される可能性がある場合、ジョブを実行する前にユーザに通知する通知手段とを備えることを特徴とする。
【発明の効果】
【０００８】
本発明によれば、ユーザは、ジョブを実行することによって、カラー印刷用シートとモノクロ印刷用シートとが混在する可能性がある場合に、その旨を、ジョブを実行する前に確認することができる。
【図面の簡単な説明】
【０００９】
【図１】本実施形態に係る画像形成装置の構成を示すブロック図
【図２】本実施形態に係る画像形成装置の構成を示す断面図
【図３】本実施形態に係る画像形成装置の操作部を示す図
【図４】本実施形態に係る操作画面を説明するための図
【図５】本実施形態に係る操作画面を説明するための図
【図６】本実施形態に係る制御例を示すフローチャート
【図７】本実施形態に係る操作画面を説明するための図
【図８】本実施形態に係る操作画面を説明するための図
【図９】本実施形態に係るテーブルを説明するための図
【図１０】本実施形態に係る制御例を示すフローチャート
【図１１】本実施形態に係る操作画面を説明するための図
【発明を実施するための形態】
【００１０】
以下、本発明を実施するための最良の形態について図面を用いて説明する。
【００１１】
まず、図１のブロック図を用いて本実施形態に係る画像形成装置の構成について説明する。本実施形態では、画像形成装置の例として、スキャナ機能や印刷機能等の複数の機能を備えるＭＦＰ（Ｍｕｌｔｉ  Ｆｕｎｃｔｉｏｎａｌ  Ｐｅｒｉｐｈｅｒａｌ）を用いて説明する。
【００１２】
ＭＦＰ１００は、ＣＰＵ２０１、ＲＯＭ２０２、ＲＡＭ２０３、画像処理部２０４、色判定部２１３からなるＭＦＰ制御部を有する。また、ＭＦＰ１００は、操作部２０５、メモリ部２０６、スキャナ部２０７、ＮＩＣ部２０８、給紙カセット１（２０９）〜給紙カセットｎ（２１０）、印刷部２１１、後処理部２１２を有する。これらの構成は、互いにバス２１４を介して接続されており、各種データのやり取りができるようになっている。ＣＰＵ２０１は、ＭＦＰ１００を統括的に制御する制御部である。ＲＯＭ２０２は、ＣＰＵ２０１によって実行される各種プログラムを格納する。ＲＡＭ２０３は、ＣＰＵ２０１のワークメモリとして機能する。ＣＰＵ２０１は、ＲＯＭ２０２に記憶されたプログラムをＲＡＭ２０３に読み出して実行することによって、スキャナ部２０７による原稿の読取処理や印刷部２１１による印刷処理等の各種処理を行う。
【００１３】
画像処理部２０４は、ＣＰＵ２０１からの指示に従って、ＰＤＬ（Ｐａｇｅ  Ｄｅｓｃｒｉｐｔｉｏｎ  Ｌａｎｇｕａｇｅ）データのような印刷データを展開し、画像データを生成する。
【００１４】
スキャナ部２０７は、原稿台に載置された原稿を読み取り、読み取った原稿の画像から、画像データを生成してＣＰＵ２０１に転送する。また、スキャナ部２０７は、自動原稿搬送装置（ＡＤＦ）を備え、自動原稿搬送装置上に載置された複数枚の原稿を１枚ずつ搬送し、搬送された原稿の画像を読み取ることができる。
【００１５】
ＮＩＣ部２０８は、ネットワークに接続されており、外部のＰＣやサーバから受信した印刷データをＭＦＰ制御部に転送する。また、ＣＰＵ２０１からの指示に従って、メモリ部２０６内の画像データや、ＭＦＰ１００のステータス情報を外部のＰＣやサーバに送信する。
【００１６】
色判定部２１３は、ＣＰＵ２０１からの指示に従って、スキャナ部２０７によって読み取った原稿の画像がカラー画像であるか、モノクロ画像であるかを、原稿１枚ごとに判定し、判定の結果をＣＰＵ２０１に送る。ＣＰＵ２０１は、色判定部２１３による判定の結果に従って、原稿の画像がカラー画像であるかモノクロ画像であるかをページごとにメモリ部２０６で管理する。例えば、６枚の原稿を読み取った場合、ＣＰＵ２０１は、メモリ部２０６で図９（ａ）に示すような画像のサイズと色種別の情報を管理する。色判定部２１３は、原稿の画像の中にカラー画素が含まれるか否かを検知し、カラー画素が含まれる場合に原稿の画像がカラー画像であると判定する。一方、色判定部２１３は、原稿の画像の中にカラー画素が含まれない場合に、原稿の画像がモノクロ画像であると判定する。
【００１７】
なお、色判定部２１３は、ＮＩＣ部２０８を介して外部のＰＣから受信した印刷データに対して色判定を行ってもよい。外部のＰＣから受信した印刷データは、画像処理部２０４で展開される。そして、色判定部２０８は、画像処理部２０４によって展開された画像データに従って、当該画像データが示す画像がカラー画像であるか否かをページごとに判定し、判定の結果をＣＰＵ２０１に送る。ＣＰＵ２０１は、色判定部２１３による判定の結果に従って、当該画像データが示す画像がカラー画像であるかモノクロ画像であるかを１ページごとにメモリ部２０６で管理する。ここでは、印刷データを展開して、展開された画像データに従って、当該画像データが示す画像がカラー画像であるか否かをページ毎に判定する例を説明したが、本発明はこれに限られない。例えば、印刷データに含まれるページの属性のデータによって、当該印刷データに含まれる各ページの展開後の画像がカラー画像であるかモノクロ画像であるかを判定してもよい。また、６ページの画像を含む印刷データを受信した場合も、ＣＰＵ２０１は、印刷データを解析し、解析の結果に従って、メモリ部２０６で図９（ａ）に示すような情報を管理する。
【００１８】
操作部２０５は、タッチパネルやハードキーを有し、ユーザからの操作を受付ける。また、操作部２０５は表示部を備え、ＭＦＰ１００の状態やエラーの通知を行う。
【００１９】
メモリ部２０６は、例えば、ＨＤＤやＳＤカードであり、印刷データや、画像処理部２０４によって展開された画像データを格納する。
【００２０】
給紙カセット１（２０９）〜給紙カセットｎ（２１０）は、それぞれ印刷用に複数枚の印刷用紙を収納する。給紙カセットに収納される印刷用紙の例として、カラー印刷に適したカラー印刷用紙（カラー用紙、カラー印刷用シートともいう）や、モノクロ印刷に適したモノクロ印刷用紙（モノクロ用紙、モノクロ印刷用シートともいう）がある。なお、本実施形態では、給紙カセットの数ｎを４として説明するが、２以上の数であればよい。また、給紙カセットは一例にすぎず、給紙カセットの代わりに給紙デッキや手差しトレイを用いてもよい。また、その他、印刷用紙を収納できるシート収納部（また、単に収納部ともいう。）として機能するものであればよい。
【００２１】
ＣＰＵ２０１は、図９（ｂ）に示すように、給紙カセット１（２０９）〜給紙カセットｎ（２１０）に収納された印刷用紙（シート、または記録媒体ともいう。）の属性情報を給紙カセットごとにメモリ部２０６に格納して管理する。印刷用紙の属性情報には、印刷用紙のサイズや種類がある。印刷用紙の種類には、カラー印刷用紙またはモノクロ印刷用紙等がある。ユーザは、複数の給紙カセットのうち、ある給紙カセットにＡ４サイズのカラー印刷用紙を収納した場合、その給紙カセットにＡ４サイズのカラー印刷用紙を収納したことを、操作部２０５を使って設定する。また、ユーザは、ある給紙カセットに、Ａ４サイズのモノクロ印刷用紙を収納した場合、その給紙カセットにＡ４サイズモノクロ印刷用紙を収納したことを操作部２０５を使って設定する。ＣＰＵ２０１は、ユーザによって設定された印刷用紙の属性情報を、給紙カセットに対応付けてメモリ部２０６に記憶する。そして、ＣＰＵ２０１は、メモリ部２０６に記憶された印刷用紙の属性情報に従って給紙制御（搬送制御）を行う。
【００２２】
印刷部２１１は、ＭＰＵを有し、印刷部２１１のＭＰＵは、ＭＦＰ制御部から印刷コマンドと画像データを受信したことに従って、給紙カセット１（２０９）から給紙カセットｎ（２１０）のうちのいずれかから給紙された印刷用紙に画像を印刷する。
【００２３】
後処理部２１２は、印刷部２１１によって画像が印刷された印刷用紙に対して、必要に応じて、ステイプル処理やパンチ処理、ソート処理といった後処理を実行する。
【００２４】
図２は、ＭＦＰ１００の構成を示す断面図である。ＭＦＰ１００は、スキャナ部とプリンタ部から構成されている。
【００２５】
スキャナ部では、自動原稿搬送装置３０１（ＡＤＦ）に積載された原稿がその積載順に従って、先頭から順次１枚ずつ原稿流し読み位置へ搬送される。その後、原稿は、原稿流し読み位置においてスキャンされ、排出トレイ３０３に排出される。
【００２６】
原稿を誘導する搬送路には、ステッピングモータによって駆動される搬送ローラ３０５、原稿の先端、後端を検知する原稿検知センサ３０６が設けられている。
【００２７】
自動原稿搬送装置３０１に積載された原稿は、ステッピングモータによって駆動される搬送ローラ３０５によって、原稿流し読み位置を一定の速度で通過する。この場合、光学ユニット３０７は、原稿流し読み位置に移動し、等速で搬送される原稿を光源によって照射する。原稿からの反射光は、複数のミラー３０８、３０９、３１０、及び、レンズ３１１を介して色分解フィルタを備えたＣＣＤイメージセンサ（以下、「ＣＣＤ」と称する。）３１２へ導かれる。これにより、走査された原稿の画像がＣＣＤ３１２によって色分解されて読み取られる。ＣＣＤ３１２によって随時読み取ることで色ごと（Ｒ、Ｇ、Ｂ）の画像データが生成され、当該画像データはＭＦＰ制御部に転送される。
【００２８】
プリンタ部は、シアン（Ｃ）、マゼンタ（Ｍ）、イエロー（Ｙ）、ブラック（Ｋ）のトナーによって画像を形成するための４つの現像ユニットを有し、カラー画像及びモノクロ画像を形成する。
【００２９】
プリンタ部は、レーザ露光部４０１、回転多面鏡（ポリゴンミラー）４０６、感光ドラム４０２、作像部４０３、定着部４０４、フラッパ４０７、反転パス４０５、ローラ４０９、両面搬送パス４０８を有する。また、プリンタ部は、給紙カセット４１０〜４１３を有する。
【００３０】
レーザ露光部４０１は、画像データに応じて変調されたレーザ光などの光線を等角速度で回転する回転多面鏡（ポリゴンミラー）４０６に入射させ、反射走査光として感光ドラム４０２に照射する。
【００３１】
作像部４０３は、感光ドラム４０２を回転駆動し、帯電器によって帯電させた後、レーザ露光部４０１によって感光ドラム４０２上に形成された潜像をトナーによって現像する。そして、そのトナー像を印刷用紙に転写し、その際に転写されずに感光ドラム４０２上に残った微小トナーを回収するといった一連の電子写真プロセスの現像ユニット（現像ステーション）を４つ持つことで実現している。シアン（Ｃ）、マゼンタ（Ｍ）、イエロー（Ｙ）、ブラック（Ｋ）の順に並べられた４つの現像ユニットは、シアンの現像ユニットによる作像開始から所定時間経過後に、マゼンタ、イエロー、ブラックの現像ユニットによる作像を順次実行していく。このタイミング制御によって、印刷用紙上に色ずれのない、カラー画像が転写される。
【００３２】
定着部４０４は、ローラやベルトの組み合わせによって構成され、ハロゲンヒータなどの熱源を内蔵し、作像部４０３によってトナー像が転写された印刷用紙上のトナーを、熱と圧力によって溶解、定着させる。
【００３３】
給紙カセット４１０〜４１３は、それぞれ印刷用紙を収納している。ＭＦＰ１００は、給紙カセット４１０〜４１３のうちのいずれかから印刷用紙を給紙し、給紙された印刷用紙を搬送ベルトによって作像部４０３に搬送する。このように搬送された印刷用紙に対して、作像部４０３で作像された画像を転写する。そして、転写された画像を定着部４０４によって印刷用紙に定着させる。そして、ＭＦＰ１００は、画像が形成された面を下に向けて印刷用紙を排紙する場合（フェイスダウン排紙をする場合）、フラッパ４０７によって印刷用紙を反転パス４０５に導き、反転させた印刷用紙を排紙トレイ４１５に排紙する。一方、画像が形成された面を上に向けて印刷用紙を排紙する場合（フェイスアップ排紙をする場合）、フラッパ４０７によって印刷用紙を反転パス４０５に導かずに、印刷用紙を排紙トレイ４１５に排紙する。
【００３４】
また、印刷用紙の両面に画像を印刷する場合、フラッパ４０７によって印刷用紙を反転パス４０５に導き、印刷用紙の後端をローラ４０９によって挟持させた後、その印刷用紙を両面搬送パス４０８に導く。両面搬送パス４０８に導かれた印刷用紙は、再び作像部４０３まで搬送され、印刷用紙の裏面に作像部４０３によって画像が印刷される。裏面に画像が印刷された印刷用紙は、排紙トレイ４１５に排紙される。
【００３５】
このようにして、ＭＦＰ１００は、印刷用紙にカラー画像を印刷する。なお、モノクロ画像を印刷用紙に印刷する場合は、作像部４０３のブラックの現像ユニットのみ駆動し、給紙カセット４１０〜４１３のいずれかより給紙された印刷用紙に黒トナーを用いて画像の印刷を行う。
【００３６】
次に、図３を用いて、図２に示したＭＦＰ１００が有する操作部２０５について説明する。
【００３７】
操作部２０５は、ハードキーによるユーザ操作を受付けるキー入力部９０１、ソフトキー（表示キー）を表示可能で、当該ソフトキーによるユーザ操作を受付けるタッチパネル部９０２を有する。
【００３８】
まず、キー入力部９０１について説明する。図３に示すように、キー入力部９０１は、操作部電源スイッチ９０３を備える。ＭＦＰ１００が、スタンバイモード（通常動作状態）のときに、操作部電源スイッチ９０３がユーザによって押されると、ＣＰＵ２０１は、ＭＦＰ１００を、スタンバイモードからスリープモード（消費電力を抑えている状態）に切り替える。一方、ＭＦＰ１００が、スリープモードのときに、操作部電源スイッチ９０３がユーザによって押されると、ＣＰＵ２０１は、ＭＦＰ１００を、スリープモードからスタンバイモードに切り替える。
【００３９】
スタートキー９０５は、コピー動作や、データの送信動作を、ＭＦＰ１００に実行させる指示をユーザから受付けるためのキーである。
【００４０】
ストップキー９０４は、コピー動作や、データの送信動作を中断する指示をユーザから受付けるためのキーである。
【００４１】
テンキー９０６は、各種設定の置数の設定をユーザにより実行するためのキーである。
【００４２】
次に、タッチパネル部９０２について説明する。タッチパネル部９０２は、ＬＣＤ（Ｌｉｑｕｉｄ  Ｃｒｙｓｔａｌ  Ｄｉｓｐｌａｙ：液晶表示部）と、その上に貼られた透明電極からなるタッチパネルシートとを有する。
【００４３】
当該タッチパネル部９０２は、ユーザからの各種設定を受付ける機能と、ユーザに情報を提示する機能とを有する。
【００４４】
以上に説明した構成を有するＭＦＰ１００は、スキャナ部２０７によって読み取った原稿の画像がカラー画像であるか、モノクロ画像であるかを色判定部２１３によって判定するオートカラーセレクト機能（ＡＣＳ機能）を有する。なお、ＭＦＰ１００は、原稿１枚ごとに１ページの画像を生成し、１ページごとに画像がカラー画像であるか、モノクロ画像であるかを色判定部２１３によって判定する。
【００４５】
そして、ＭＦＰ１００は、スキャナ部２０７によって読み取った原稿の画像がカラー画像であればシアン（Ｃ）、マゼンタ（Ｍ）、イエロー（Ｙ）、ブラック（Ｋ）の現像ユニットを使ってカラー画像を印刷する。一方、ＭＦＰ１００は、原稿の画像がモノクロ画像であればブラック（Ｋ）の現像ユニットを使ってモノクロ画像を印刷する。複数枚の原稿を読み取る場合、ＭＦＰ１００は、スキャナ部２０７のＡＤＦによって読み取った複数枚の原稿の各ページの画像がカラー画像であるか、モノクロ画像であるかを色判定部２１３によって順次判定する。そして、ＭＦＰ１００は、その判定結果を図９（ａ）に示すようにメモリ部２０６で管理する。また、複数枚の原稿の各ページの画像のサイズも、ページごとにメモリ部２０６で管理される。
【００４６】
また、ＭＦＰ１００は、複数の給紙カセット４１０〜４１３を有し、それぞれの給紙カセットはカラー印刷用紙またはモノクロ印刷用紙を収納する。そして、ＭＦＰ１００は、操作部２０５を介して受け付けたユーザの設定に従って、給紙カセットごとに印刷用紙のサイズと印刷用紙の種類（カラー印刷用紙またはモノクロ印刷用紙等）を示す情報を図９（ｂ）に示すようにメモリ部２０６で管理する。
【００４７】
そして、ＭＦＰ１００は、オートカラーセレクト機能によってカラー画像であると判定したページの画像を印刷する場合に、図９（ｂ）に示す情報に従ってカラー印刷用紙がセットされている給紙カセットを特定する。そして、ＭＦＰ１００は、特定した給紙カセットから印刷用紙を給紙して、給紙されたカラー印刷用紙にカラー画像を印刷することができる。一方、ＭＦＰ１００は、オートカラーセレクト機能によってモノクロ画像であると判定したページの画像を印刷する場合に、図９（ｂ）に示す情報に従ってモノクロ印刷用紙がセットされている給紙カセットを特定する。そして、ＭＦＰ１００は、特定した給紙カセットから印刷用紙を給紙して、給紙されたモノクロ印刷用紙にモノクロ画像を印刷することができる。
【００４８】
このように、ＭＦＰ１００は、オートカラーセレクト機能と自動用紙選択機能を連携させて、印刷すべき画像がカラー画像であるかモノクロ画像であるかに応じて給紙カセットを選択し、その給紙カセットから印刷用紙を給紙することができる。
それによって、ＭＦＰ１００は、複数枚の原稿の各ページのうち、カラーページの画像をカラー印刷用紙に印刷し、モノクロページの画像をモノクロ印刷用紙に印刷することができる。
【００４９】
次に、このような機能を実現するためのＭＦＰ１００の詳細な制御について説明する。
【００５０】
図４は、タッチパネル部９０２に表示される画面の例である。
【００５１】
図４に示す初期画面５００は、ＭＦＰ１００を起動したときにタッチパネル部９０２に表示される画面である。
【００５２】
初期画面５００は、応用モードキー５０１、濃度調整キー５０２、用紙選択キー５０３、倍率設定キー５０４、仕上げキー５０５、両面設定キー５０６、カラーモード設定キー５０７を有する。ユーザは、これらのキーを押下することによってジョブの設定を行うことが可能となる。
【００５３】
応用モードキー５０１は、読み取った複数枚の原稿の画像を１枚の印刷用紙の上に並べて印刷する縮小レイアウト機能や、読み取った原稿の画像を印刷前にタッチパネル部９０２に表示するプレビュー機能の設定を行うためのキーである。
【００５４】
濃度調整キー５０２は、印刷濃度を調整するためのキーである。
【００５５】
用紙選択キー５０３は、用紙選択画面５０８を表示するためのキーである。用紙選択画面５０８は、印刷用紙の給紙元となる給紙カセットを決めるための設定をユーザから受け付けるための画面である。
【００５６】
自動用紙選択キー５０９は、原稿の画像のサイズと色種別（原稿の画像がカラー画像であるかモノクロ画像であるか）に従って、ＣＰＵ２０１が印刷に使用する給紙カセットを選択する自動用紙選択機能を有効にするためのキーである。
【００５７】
給紙カセット選択キー５１０は、給紙カセット４１０〜４１３のうち、印刷に使用したい給紙カセットを、ＭＦＰ１００に選択させるのではなく、ユーザが直接指定するためのキーである。なお、図４（ｂ）に示す画面において、カセット１は給紙カセット４１０に、カセット２は給紙カセット４１１に、カセット３は給紙カセット４１２に、カセット４は給紙カセット４１３に夫々対応する。
【００５８】
倍率設定キー５０４は、印刷倍率を設定するためのキーである。仕上げキー５０５は、後処理の設定を行うためのキーである。例えば、仕上げキー５０５が押された場合に表示される画面によって、ユーザは、画像が印刷された印刷用紙を、部ごとにシフトして排紙するシフトソート機能の設定を行うことができる。両面キー５０６は、両面印刷を行うよう設定するためのキーである。
【００５９】
カラーモード設定キー５０７は、原稿の画像の色種別の判別方法を決定するためのキーである。具体的に、ユーザがカラーモード設定キー５０７を押下すると、画面５１１にプルダウンメニューが表示される。表示されたプルダウンメニューの中からカラー５１２が選択されると、ＣＰＵ２０１は、色判定部２１３による判定結果によらずに、読み取った原稿の画像を全てカラー画像として認識する。また、白黒５１３が選択されると、ＣＰＵ２０１は、色判定部２１３による判定結果によらずに、読み取った原稿の画像を全てモノクロ画像として認識する。自動カラー選択５１４を選択すると、ＣＰＵ２０１は、読み取った原稿の画像がカラー画像であるか、モノクロ画像であるかを、色判定部２１３による判定結果に従って１ページごとに判定する。そして、ＣＰＵ２０１は、判定の結果を図９（ｂ）に示すようにメモリ部２０６で管理する。
【００６０】
次に、自動用紙選択機能を利用するために、ＭＦＰ１００の機器設定として事前に設定しておくべき項目について説明する。
【００６１】
給紙カセットごとの印刷用紙のサイズ（Ａ３、Ａ４、Ａ５、Ｂ４、Ｂ５等）は、操作部２０５を介してユーザによって設定可能である。
【００６２】
また、本実施形態に係るＭＦＰ１００は、印刷用紙のサイズに加えて、各給紙カセットに収納される印刷用紙の種類（カラー印刷用紙またはモノクロ印刷用紙等）を、操作部２０５を介して受け付ける。また、ＭＦＰ１００は、各給紙カセットを自動用紙選択機能の対象にするか否かの設定を、操作部２０５を介して受け付ける。以下に、それらの設定を受け付ける設定画面について説明する。
【００６３】
図５（ａ）に示す画面６００は、図３に示すユーザモードキーが押された場合にタッチパネル部９０２に表示される画面である。ユーザは、この画面６００を介してＭＦＰ１００の各種機器設定を行うことができる。
【００６４】
キー群６０１の中の「カセットオートＯＮ／ＯＦＦ」キーは、図５（ｂ）に示す画面６０２を表示させるためのキーである。画面６０２は、ＭＦＰ１００が有する給紙カセットと、各給紙カセットに収納されている印刷用紙のサイズが表示される。
【００６５】
この画面６０２を表示した後、ユーザは、各給紙カセットを自動用紙選択機能の対象とする（ＯＮ）か、対象としない（ＯＦＦ）にするかを設定する。ＯＫキー６０４は、画面６０２で設定されている内容を確定させるとともに、画面６０２を閉じて、画面６００を表示させるためのキーである。ＯＫキー６０４が押されると、ＣＰＵ２０１は、ＯＮが選択されている給紙カセットを、自動用紙選択機能によって自動的に選択される対象とする。一方、ＣＰＵ２０１は、ＯＦＦが選択されている給紙カセットを、自動用紙選択機能によって自動的に選択される対象としない。
【００６６】
キー群６０１の中の「カラー選択によるカセットの自動選択」キーは、図５（ｃ）に示す画面６０５を表示させるためのキーである。画面６０５には、「カラー」、「白黒」、「ａｎｙ」のいずれかを選択するためのキー群６０６が設けられている。「カラー」は、その給紙カセットに、カラー印刷に適したカラー印刷用紙を収納する場合にユーザによって押下されるキーである。「モノクロ」は、その給紙カセットに、モノクロ印刷に適したモノクロ印刷用紙を収納する場合にユーザによって押下されるキーである。「ａｎｙ」は、その給紙カセットにカラー印刷とモノクロ印刷で兼用する印刷用紙を収納する場合にユーザによって押下されるキーである。
【００６７】
ＯＫキー６０７は、画面６０５で設定されている内容を反映させるとともに、画面６０５を閉じて、画面６００を表示させるためのキーである。ＯＫキー６０７が押されると、ＣＰＵ２０１は、「カラー」が選択されている給紙カセットをカラー印刷用紙が収納された給紙カセットとして認識し、「白黒」が選択されているカセットをモノクロ印刷用紙が収納された給紙カセットとして認識する。また、ＣＰＵ２０１は、「ａｎｙ」が選択されている給紙カセットを、カラー印刷とモノクロ印刷で兼用する印刷用紙が収納された給紙カセットとして認識する。ここで設定された情報は、図９（ｂ）に示すように、各給紙カセットの属性情報として、ＣＰＵ２０１によってメモリ部２０６に記憶される。
【００６８】
以上のような設定が行われたうえで、スタートキー９０５が押されると、ＣＰＵ２０１は、設定内容に従ってジョブを実行する。
【００６９】
次に、図６を用いて、上述した画面を介して設定を受け付けてから原稿の画像の印刷を行うまでの処理について説明する。なお、図６のフローチャートに示す処理は、ＣＰＵ２０１がＲＯＭ２０２に格納されたプログラムをＲＡＭ２０３に読み出して実行することによって行われる。
【００７０】
まず、Ｓ８０１で、ＣＰＵ２０１は、図４（ａ）〜（ｃ）や図５（ａ）〜（ｃ）で説明した画面を介してユーザから設定を受け付け、受け付けた設定をメモリ部２０６に保存する。なお、図５（ａ）〜（ｃ）に示す画面で受け付ける設定は、ＭＦＰ１００の機器設定であるため、図６に示すフローチャートの処理を開始する前に、別のタイミングで行われていてもよい。
【００７１】
Ｓ８０２で、ＣＰＵ２０１は、スタートキー９０５が押されたか否かを判断する。スタートキー９０５が押されていない場合、ＣＰＵ２０１はＳ８０１に処理を戻し、スタートキーが押された場合、ＣＰＵ２０１はＳ８０３に処理を進める。
【００７２】
Ｓ８０３で、ＣＰＵ２０１は、スキャナ部２０７に載置された原稿の読取処理を実行する。ここで、原稿の読取処理の詳細を、図１０のフローチャートを用いて説明する。図１０のフローチャートに示す処理は、ＣＰＵ２０１がＲＯＭ２０２に格納されたプログラムをＲＡＭ２０３に読み出して実行することによって行われる。まず、Ｓ１２０１で、ＣＰＵ２０１は、スキャナ部２０７に原稿の給紙指示を出し、スキャナ部２０７に原稿を１枚給紙させる。そして、Ｓ１２０２で、ＣＰＵ２０１は、スキャナ部２０７に給紙された原稿の画像を読み取らせ、Ｓ１２０３で、読み取られた原稿の画像をメモリ部２０６に格納する。次に、Ｓ１２０４で、ＣＰＵ２０１は、読み取られた原稿の画像のサイズを判定し、Ｓ１２０５で判定したサイズをメモリ部２０６に格納する。そして、Ｓ１２０６で、ＣＰＵ２０１は、原稿の画像の色種別を判定し、Ｓ１２０７で、判定した結果をメモリ部２０６に格納する。次に、Ｓ１２０８で、ＣＰＵ２０１は、スキャナ部２０７の原稿検知センサによって、スキャナ部２０７に次の原稿があるか否かを判定し、次の原稿があると判定した場合にはＳ１２０１に処理を進める。一方、次の原稿がないと判定した場合、ＣＰＵ２０１は、図１０のフローチャートに示す処理を終了し、Ｓ８０４に処理を進める。
【００７３】
なお、このＳ８０３で、スキャナ部２０７は、複数枚の原稿を連続的に読み取ってもよいし、１枚の原稿を読み取ってもよい。複数枚の原稿を読み取る場合、スキャナ部２０７は、ＡＤＦ（自動原稿搬送装置）によって複数枚の原稿を１枚ずつ順に搬送し、搬送された原稿の画像を読み取る。１枚の原稿を読み取る場合、スキャナ部２０７は、ＡＤＦによって搬送された１枚の原稿またはユーザにより原稿台に置かれた１枚の原稿を読み取る。
【００７４】
また、ＡＤＦを用いずに複数枚の原稿を読み取る方法として、ユーザにより原稿台に一枚ずつ載置された原稿の画像を複数ページ分メモリ部２０６に記憶し、その後、ユーザの指示に従って、当該複数ページ分の画像を印刷する連続読取モードを使用してもよい。連続読取モードを使用する場合、ユーザは、操作部２０５に設けられた不図示の連続読取キーによって連続読取モードを有効に設定する。そして、ＣＰＵ２０１は、連続読取モードが有効に設定された状態で、スタートキー９０５が押されると原稿台に載置された原稿を読み取り、読み取った画像を印刷せずにメモリ部２０６に保存する。その後、操作部２０５に設けられた不図示の読取終了キーが押されるまで、スタートキー９０５が押される度に原稿台に載置された原稿を読み取り、読み取った画像を印刷せずにメモリ部２０６に記憶する。そして、読取終了キーが押されたことに応じて、ＣＰＵ２０１は、Ｓ８０４に処理を進める。この場合も、ＣＰＵ２０１は、読み取られた複数枚の原稿の各ページの画像のサイズと色種別を判定し、判定した結果をメモリ部２０６に格納する。
【００７５】
Ｓ８０４で、ＣＰＵ２０１は、Ｓ８０１でメモリ部２０６に保存された設定内容を参照し、図４のキー５０９によって自動用紙選択機能が有効に設定されているか否かを判定する。自動用紙選択機能が有効に設定されていると判定した場合、ＣＰＵ２０１はＳ８０６に処理を進める。一方、給紙カセット選択キー５１０によって特定の給紙カセットがユーザによって指定されていると判定した場合、Ｓ８０５に処理を進める。
【００７６】
Ｓ８０５に処理を進めた場合、ＣＰＵ２０１は、ユーザによって指定された給紙カセットを選択し、選択した給紙カセットを示す情報を、印刷に使用する給紙カセットを示す情報としてメモリ部２０６に記憶する。そして、Ｓ８２２に処理を進め、ＣＰＵ２０１は、Ｓ８０３で読み取って、メモリ部２０６に記憶されている原稿の画像を、ユーザの指定に従って選択した給紙カセットから給紙した印刷用紙に印刷するよう印刷部２１１に指示を出す。印刷部２１１は、指示に従って給紙カセットから給紙した印刷用紙に印刷して処理を終了する。なお、原稿の画像が複数ページある場合、ＣＰＵ２０１は、複数ページの画像を、選択した給紙カセットから給紙した印刷用紙に印刷するよう印刷部２１１に指示を出し、印刷部２１１は、指示に従って給紙カセットから給紙した印刷用紙に印刷して処理を終了する。
【００７７】
自動用紙選択機能が有効に設定されていてＳ８０６に処理を進めた場合、ＣＰＵ２０１は、Ｓ８０１でメモリ部２０６に保存された設定内容を参照し、オートカラーセレクト機能が有効に設定されているか否かを判定する。オートカラーセレクト機能は、Ｓ８０１で自動カラー選択５０７が選択されている場合に有効に設定されていると判定される。オートカラーセレクト機能が有効に設定されていると判定された場合、ＣＰＵ２０１は処理をＳ８２７に進める。一方、オートカラーセレクト機能が有効に設定されていない、つまり、図４（ｃ）に示す画面でカラー５１３または白黒５１４が選択されている場合、Ｓ８０７に処理を進める。
【００７８】
カラー５１３が選択されている場合、ＣＰＵ２０１はＳ８０７からＳ８２３に処理を進める。Ｓ８２３で、ＣＰＵ２０１は、ＭＦＰ１００の給紙カセット４１０〜４１３のいずれかに「カラー」がセットされた給紙カセットが存在するか否かを判定する。ここで、図５（ｃ）の画面６０５で「カラー」がセットされた給紙カセットが存在すれば、ＣＰＵ２０１は、給紙カセットにカラー印刷用紙があると判定し、Ｓ８０８に処理を進める。一方、図５（ｃ）の画面６０５で「カラー」がセットされた給紙カセットが存在しなければ、ＣＰＵ２０１は、「カラー」がセットされた給紙カセットは存在しないと判定し、Ｓ８２４に処理を進める。
【００７９】
Ｓ８０８で、ＣＰＵ２０１は、図５（ｃ）の画面６０５で「カラー」がセットされた給紙カセットを特定する。そして、ＣＰＵ２０１は、特定された給紙カセットの中から、原稿の画像のサイズに一致するサイズのカラー印刷用紙が収納された給紙カセットを選択する。さらに、選択した給紙カセットを示す情報を、印刷に使用する給紙カセットを示す情報としてメモリ部２０６に記憶しておく。なお、サイズの異なる複数枚の原稿が読み取られている場合、ＣＰＵ２０１は、それぞれの原稿の画像のサイズに一致するサイズのカラー印刷用紙が収納された複数の給紙カセットを選択する。そして、ＣＰＵ２０１は、それら複数の給紙カセットを示す情報を、印刷に使用する給紙カセットを示す情報として、メモリ部２０６に保存する。そして、Ｓ８２２に処理を進め、ＣＰＵ２０１は、Ｓ８０３で読み取った原稿の画像を、選択した給紙カセットから給紙したカラー印刷用紙に印刷するよう印刷部２１１に指示を出す。印刷部２１１は、指示に従ってＣＰＵ２０１によって選択された給紙カセットから給紙したカラー印刷用紙に印刷して処理を終了する。
【００８０】
カラー印刷用紙を収納した給紙カセットが存在せず、Ｓ８２４に処理を進めた場合、ＣＰＵ２０１は、図５（ｃ）の画面６０５で「ａｎｙ」がセットされた給紙カセットを特定する。そして、ＣＰＵ２０１は、特定された給紙カセットの中から、原稿の画像のサイズに一致するサイズのカラーモノクロ兼用印刷用紙が収納された給紙カセットを選択する。さらに、ＣＰＵ２０１は、選択した給紙カセットを示す情報を、印刷に使用する給紙カセットを示す情報としてメモリ部２０６に記憶しておく。なお、サイズの異なる複数枚の原稿が読み取られている場合、ＣＰＵ２０１は、それぞれの原稿の画像のサイズに一致するサイズのカラーモノクロ兼用印刷用紙が収納された複数の給紙カセットを選択する。そして、ＣＰＵ２０１は、それら複数の給紙カセットを示す情報を、印刷に使用する給紙カセットを示す情報として、メモリ部２０６に保存する。そして、Ｓ８２２に処理を進め、ＣＰＵ２０１は、Ｓ８０３で読み取った原稿の画像を、選択した給紙カセットから給紙したカラーモノクロ兼用印刷用紙に印刷するよう印刷部２１１に指示を出す。印刷部２１１は、指示に従ってＣＰＵ２０１によって選択された給紙カセットから給紙したカラーモノクロ兼用印刷用紙に印刷して処理を終了する。
【００８１】
一方、図５（ｃ）の画面６０５で白黒５１４が選択されている場合、ＣＰＵ２０１はＳ８０７からＳ８２５に処理を進める。Ｓ８２５で、ＣＰＵ２０１は、ＭＦＰ１００の給紙カセット４１０〜４１３のいずれかに「モノクロ」がセットされた給紙カセットが存在するか否かを判定する。ここで、図５（ｃ）の画面６０５で「モノクロ」がセットされた給紙カセットが存在すれば、ＣＰＵ２０１は、給紙カセットにモノクロ印刷用紙があると判定し、Ｓ８０９に処理を進める。一方、図５（ｃ）の画面６０５で「モノクロ」がセットされた給紙カセットが存在しなければ、ＣＰＵ２０１は、「モノクロ」がセットされた給紙カセットは存在しないと判定し、Ｓ８２６に処理を進める。
【００８２】
Ｓ８０９で、ＣＰＵ２０１は、図５（ｃ）の画面６０５で「モノクロ」がセットされている給紙カセットを特定する。そして、ＣＰＵ２０１は、特定された給紙カセットの中から、原稿の画像のサイズに一致するサイズのモノクロ印刷用紙が収納された給紙カセットを選択する。さらに、ＣＰＵ２０１は、選択した給紙カセットを示す情報を、印刷に使用する給紙カセットを示す情報として、メモリ部２０６に記憶する。なお、サイズの異なる複数枚の原稿が読み取られている場合、ＣＰＵ２０１は、それぞれの原稿の画像のサイズに一致するサイズのモノクロ印刷用紙が収納された複数の給紙カセットを選択する。そして、Ｓ８２２に処理を進め、ＣＰＵ２０１は、Ｓ８０３で読み取って、メモリ部２０６に記憶されている原稿の画像を、選択した給紙カセットから給紙したモノクロ印刷用紙に印刷するよう印刷部２１１に指示を出す。印刷部２１１は、指示に従ってＣＰＵ２０１によって選択された給紙カセットから給紙したモノクロ印刷用紙に印刷して処理を終了する。
【００８３】
モノクロ印刷用紙を収納した給紙カセットが存在せず、Ｓ８２６に処理を進めた場合、ＣＰＵ２０１は、図５（ｃ）の画面６０５で「ａｎｙ」がセットされた給紙カセットを特定する。そして、ＣＰＵ２０１は、特定された給紙カセットの中から、原稿の画像のサイズに一致するサイズのカラーモノクロ兼用印刷用紙が収納された給紙カセットを選択する。さらに、ＣＰＵ２０１は、選択した給紙カセットを示す情報を、印刷に使用する給紙カセットを示す情報としてメモリ部２０６に記憶しておく。なお、サイズの異なる複数枚の原稿が読み取られている場合、ＣＰＵ２０１は、それぞれの原稿の画像のサイズに一致するサイズのカラーモノクロ兼用印刷用紙が収納された複数の給紙カセットを選択する。そして、ＣＰＵ２０１は、それら複数の給紙カセットを示す情報を、印刷に使用する給紙カセットを示す情報として、メモリ部２０６に保存する。そして、Ｓ８２２に処理を進め、ＣＰＵ２０１は、Ｓ８０３で読み取った原稿の画像を、選択した給紙カセットから給紙したカラーモノクロ兼用印刷用紙に印刷するよう印刷部２１１に指示を出す。印刷部２１１は、指示に従ってＣＰＵ２０１によって選択された給紙カセットから給紙したカラーモノクロ兼用印刷用紙に印刷して処理を終了する。
【００８４】
このように、オートカラーセレクト機能を使用しないＳ８０７以降の処理では、「カラー」選択時にカラー印刷用紙が給紙カセット４１０〜４１３のいずれかに存在する場合には、カラー印刷用紙をカラーモノクロ兼用用紙に優先して使用することができる。また、「白黒」選択時にモノクロ印刷用紙が給紙カセット４１０〜４１３のいずれかに存在する場合には、モノクロ印刷用紙をカラーモノクロ兼用用紙に優先して使用することができる。なお、カラーモノクロ兼用用紙として、ユーザは、カラー印刷用紙を収納してもよいし、モノクロ印刷用紙を収納してもよい。
【００８５】
なお、以上の構成では、「カラー」選択時にカラー印刷用紙を収納した給紙カセットが存在しない場合、あるいは、「白黒」選択時にモノクロ印刷用紙を収納した給紙カセットが存在しない場合、カラーモノクロ兼用用紙を用いて印刷動作する構成とした。しかしながら、カラーモノクロ印刷用紙を用いた印刷動作を直ぐに行わずに、カラー印刷用紙あるいはモノクロ印刷用紙がない旨をユーザに報知するよう構成してもよい。
【００８６】
一方、オートカラーセレクト機能が有効に設定されている場合は、Ｓ８０６からＳ８２７に処理を進める。Ｓ８２７において、ＣＰＵ２０１は、Ｓ８０３で読み取って、メモリ部２０６に記憶されている原稿の画像を印刷する際に、読み取った原稿の枚数と印刷設定に従って、印刷に必要な印刷用紙の枚数が複数枚であるか否かを判定する。即ち、読み取った原稿の枚数が１枚であれば、ＣＰＵ２０１は、印刷に必要な印刷用紙の枚数が１枚であると判定する。また、読み取った原稿の枚数が２枚であっても、１枚の印刷用紙に２枚分の原稿画像を印刷する、いわゆる、２ｉｎ１で印刷するよう設定されている場合、ＣＰＵ２０１は、印刷に必要な印刷用紙の枚数が１枚であると判定する。一方、原稿の枚数が複数枚で、印刷設定に従うと、印刷に必要な印刷用紙の枚数が１枚に収まらない場合、ＣＰＵ２０１は、印刷に必要な印刷用紙の枚数が複数枚であると判定する。このようにして、印刷される印刷用紙の枚数が複数枚であると判定された場合、ＣＰＵ２０１はＳ８１０に処理を進め、印刷される印刷用紙の枚数が１枚であると判定された場合、ＣＰＵ２０１はＳ８２８に処理を進める。
【００８７】
印刷用紙の枚数が１枚の場合、Ｓ８２８で、ＣＰＵ２０１は、Ｓ８０３で読み取った原稿の画像にカラー画像が含まれているか否かを判定する。読み取った原稿の画像にカラー画像が含まれている場合、ＣＰＵ２０１はＳ８２９に処理を進める。Ｓ８２９で、ＣＰＵ２０１は印刷すべき画像サイズに一致するサイズのカラー印刷用紙が収納された給紙カセットを選択し、選択した給紙カセットを示す情報を、印刷に使用する給紙カセットを示す情報としてメモリ部２０６に記憶しておく。そして、ＣＰＵ２０１は、Ｓ８２２に処理を進める。そして、Ｓ８２２で、ＣＰＵ２０１は、Ｓ８０３で読み取った原稿の画像を、選択した給紙カセットから給紙したカラー印刷用紙に印刷するよう印刷部２１１に指示を出す。印刷部２１１は、指示に従ってＣＰＵ２０１によって選択された給紙カセットから給紙したカラー印刷用紙に印刷して処理を終了する。
【００８８】
一方、読み取った原稿の画像にカラー画像が含まれていない場合、ＣＰＵ２０１はＳ８３０に処理を進める。Ｓ８３０で、ＣＰＵ２０１は、印刷すべき画像サイズに一致するサイズのモノクロ印刷用紙が収納された給紙カセットを選択し、選択した給紙カセットを示す情報を、印刷に使用する給紙カセットを示す情報としてメモリ部２０６に記憶しておく。そして、Ｓ８２２に処理を進め、ＣＰＵ２０１は、Ｓ８０３で読み取った原稿の画像を、選択した給紙カセットから給紙したモノクロ印刷用紙に印刷するよう印刷部２１１に指示を出す。印刷部２１１は、指示に従ってＣＰＵ２０１によって選択された給紙カセットから給紙したモノクロ印刷用紙に印刷して処理を終了する。
【００８９】
自動用紙選択機能とオートカラーセレクト機能がともに有効に設定されていて、更に印刷に必要な印刷用紙が複数枚である場合は、Ｓ８２７からＳ８１０に処理を進める。即ち、ＣＰＵ２０１は、図７（ａ）に示す画面１１０１をタッチパネル部９０２に表示する。ここで、ＣＰＵ２０１は、画面１１０１を介して、自動用紙選択機能とオートカラーセレクト機能の両方が有効に設定されていることをユーザに通知する。また、自動用紙選択機能とオートカラーセレクト機能の両方が有効に設定されていることに起因して、ジョブを実行することによって出力される印刷物にカラー印刷用紙とモノクロ印刷用紙とが混在する可能性があることを通知する。
【００９０】
例えば、１〜４ページ目の画像がカラー画像で、５ページ目〜６ページ目の画像がモノクロ画像の原稿を夫々印刷用紙にコピーするジョブを実行する場合を想定する。この場合、ＣＰＵ２０１は、オートカラーセレクト機能によって、１〜４ページ目はカラー画像であり、５〜６ページ目はモノクロ画像であると判定される。そして、ＣＰＵ２０１は、自動用紙選択機能によって、１〜４ページ目の画像をカラー印刷用紙に印刷し、５〜６ページ目の画像をモノクロ印刷用紙に印刷する。
【００９１】
このように、本実施形態に係るＭＦＰ１００によれば、複数枚の原稿の画像のうち、カラー画像はカラー印刷用紙に印刷することによって見栄えを良くすることができる。また、モノクロ画像をモノクロ印刷用紙に印刷することによって印刷用紙にかかるコストを抑えることができる。ただ、ユーザは、顧客に配布する配布物や会議の配布資料等、使用目的によっては、１つのジョブまたは１部の印刷物の中に、カラー印刷用紙とモノクロ印刷用紙とを混在させたくない場合がある。そのため、本実施形態に係るＭＦＰ１００は、Ｓ８１０で、カラー印刷用紙とモノクロ印刷用紙とが混在する可能性があることをジョブを実行する前にユーザに通知し、その後の処理をユーザに選択させるのである。
【００９２】
ここで、図７（ａ）の画面によりカラー印刷用紙とモノクロ印刷用紙とが混在する可能性があることを認識したユーザが、印刷用紙の混在を防ぐために特定の給紙カセットを指定したい場合、キー１１０２を押下する。この場合、ＣＰＵ２０１は、特定の給紙カセットに収納された印刷用紙のみを使用して印刷を行うため、カラー印刷用紙とモノクロ印刷用紙とが混在することがなくなる。
【００９３】
ボタン１１０２が押下された場合、ＣＰＵ２０１は、Ｓ８１１からＳ８１２に処理を進め、図４（ｂ）の画面５０８をタッチパネル部９０２に表示する。そして、ＣＰＵ２０１は、図４（ｂ）の画面５０８を介して、給紙カセット１〜給紙カセット４のうち、いずれかの給紙カセットをユーザに指定させる。なお、ここで、ＣＰＵ２０１は、ユーザが印刷に使用する印刷用紙を選択しやすいように、給紙カセット１〜給紙カセット４のそれぞれにカラー印刷用紙が収納されているか、モノクロ印刷用紙が収納されているかを示す情報を表示してもよい。
【００９４】
そして、図４（ｂ）の画面５０８を介して給紙カセットが指定されると、Ｓ８１３で、ＣＰＵ２０１は、指定された給紙カセットを示す情報を、印刷に使用する給紙カセットを示す情報として、メモリ部２０６に記憶する。そして、Ｓ８２２に処理を進め、ＣＰＵ２０１は、Ｓ８０３で読み取った原稿の画像を、図４（ｂ）の画面５０８によってユーザが選択した給紙カセットから給紙した印刷用紙に印刷するよう印刷部２１１に指示を出す。印刷部２１１は、指示に従ってＣＰＵ２０１によって選択された給紙カセットから給紙した印刷用紙に印刷して処理を終了する。
【００９５】
図７（ａ）の画面１１０１に説明を戻す。カラー印刷用紙とモノクロ印刷用紙の混在の可能性があるが、特定の給紙カセットを選択しない場合、ユーザは、画面１１０１でキー１１０３を押下する。
【００９６】
キー１１０３が押された場合、ＣＰＵ２０１は、Ｓ８１１からＳ８１４に処理を進める。Ｓ８１４で、ＣＰＵ２０１は、図７（ｂ）に示す画面１１０４をタッチパネル部９０２に表示する。
【００９７】
図７（ｂ）に示す画面１１０４には、混在キー１１０５と非混在キー１１０６が設けられている。ユーザは、カラー画像をカラー印刷用紙に印刷させ、モノクロ画像をモノクロ印刷用紙に印刷すること、即ちカラー印刷用紙とモノクロ印刷用紙の混在を許可したい場合、混在キー１１０５を押下する。一方、カラー印刷用紙とモノクロ印刷用紙を混在させたくない場合、非混在キー１１０６を押下する。
【００９８】
図７（ｂ）に示す画面１１０４で混在キー１１０５が押下された場合、ＣＰＵ２０１は、Ｓ８１５からＳ８１６に処理を進める。
【００９９】
Ｓ８１６で、ＣＰＵ２０１は、図８（ａ）の画面１１０７をタッチパネル部９０２に表示する。この画面は、１枚の印刷用紙にカラー画像とモノクロ画像の両方が印刷される場合に、カラー印刷用紙とモノクロ印刷用紙のいずれの印刷用紙を選択して印刷するかを選択する画面である。
【０１００】
１枚の印刷用紙にカラー画像とモノクロ画像が印刷されるケースとして、例えば、原稿の画像の１〜３ページ目がカラー画像であって、４〜６ページ目がモノクロ画像であり、縮小レイアウト機能によって２ｉｎ１が設定されているケースがある。この場合、１〜２ページ目の画像はカラー画像であるため、カラー印刷用紙に並べて縮小印刷される。５〜６ページ目の画像はモノクロ画像であるため、モノクロ印刷用紙に並べて縮小印刷される。３〜４ページ目の画像は、３ページ目がカラー画像であり、４ページ目がモノクロ画像であるため、２ｉｎ１で印刷すると、１枚の印刷用紙にカラー画像とモノクロ画像が印刷されることになる。このような場合に、ＣＰＵ２０１は、画面１１０７で設定された内容に従って、３〜４ページ目の画像を、カラー印刷用紙に印刷するか、モノクロ印刷用紙に印刷するかを決定する。
【０１０１】
Ｓ８１６で、ＣＰＵ２０１は、ユーザから、キー群１００８のカラーキーと白黒キーのいずれかの選択を受け付ける。選択を受け付け、ＯＫボタン１１１０が押下されると、Ｓ８１７に処理を進め、ＣＰＵ２０１は、設定された内容をメモリ部２０６に記憶する。そして、Ｓ８１８で、ＣＰＵ２０１は、設定された内容に従って印刷を実行する。
【０１０２】
具体的に、キー群１００８の中からカラーキーが押されている場合の印刷制御について説明する。ここでは、上述したように原稿の画像の１〜３ページ目がカラー画像であって、４〜６ページ目がモノクロ画像であり、縮小レイアウト機能によって２ｉｎ１が設定されている場合を例に説明する。ＣＰＵ２０１は、１ページ目と２ページ目の画像を１枚目の印刷用紙の同じ面に割り付け、１ページ目と２ページ目の画像が両方ともカラー画像であるため、それらの画像をカラー印刷用紙に印刷するよう印刷部２１１に指示する。
【０１０３】
次に、ＣＰＵ２０１は、３ページ目と４ページ目の画像を２枚目の印刷用紙の同じ面に割り付ける。ここで、３ページ目の画像がカラー画像であり、４ページ目の画像がモノクロ画像であるため、ＣＰＵ２０１は、図８（ａ）の画面を介してカラーキーが押されたかモノクロキーが押されたかを参照する。カラーボタンが押されていると判定した場合、ＣＰＵ２０１は、それらの画像をカラー印刷用紙に印刷するよう印刷部２１１に指示する。
【０１０４】
さらに、ＣＰＵ２０１は、５ページ目と６ページ目の画像を３枚目の印刷用紙の同じ面に割り付け、５ページ目と６ページ目の画像が両方ともモノクロ画像であるため、それらの画像をモノクロ印刷用紙に印刷するよう印刷部２１１に指示する。
【０１０５】
印刷部２１１は、ＣＰＵ２０１からの指示に従って、１枚目の印刷用紙としてカラー印刷用紙を給紙し、給紙された印刷用紙に１ページ目と２ページ目の画像を印刷する。次に、印刷部２１１は、２枚目の印刷用紙としてカラー印刷用紙を給紙して、給紙された印刷用紙に３ページ目と４ページ目の画像を印刷する。また、印刷部２１１は、３枚目の印刷用紙としてモノクロ印刷用紙を給紙して、給紙された印刷用紙に５ページ目と６ページ目の画像を印刷する。
【０１０６】
一方、モノクロキーが押されている場合、１〜２ページ目の画像はカラー印刷用紙に印刷され、３ページ目と４ページ目の画像はモノクロ印刷用紙に印刷され、５〜６ページ目の画像はモノクロ印刷用紙に印刷される。
【０１０７】
また、１枚の印刷用紙にカラー画像とモノクロ画像が印刷される別のケースとして、原稿の画像の１〜３ページ目がカラー画像であって、４〜６ページ目がモノクロ画像であり、両面印刷を行うよう設定されているケースがある。この場合、１〜２ページ目の画像はカラー画像であるため、カラー印刷用紙に両面印刷される。５〜６ページ目の画像はモノクロ画像であるため、モノクロ印刷用紙に両面印刷される。３〜４ページ目の画像は、３ページ目がカラー画像であり、４ページ目がモノクロ画像であるため、両面印刷すると、１枚の印刷用紙にカラー画像とモノクロ画像が印刷されることになる。このような場合に、ＣＰＵ２０１は、画面１１０７で設定された内容に従って、３〜４ページ目の画像を、カラー印刷用紙に印刷するか、モノクロ印刷用紙に印刷するかを決定する。
【０１０８】
Ｓ８１６で、ＣＰＵ２０１は、ユーザから、キー群１００９のカラーキーと白黒キーのいずれかの選択を受け付ける。選択を受け付け、ＯＫキー１１１０が押下されると、Ｓ８１７に処理を進め、ＣＰＵ２０１は、設定された内容をメモリ部２０６に記憶する。そして、Ｓ８１８で、ＣＰＵ２０１は、設定された内容に従って印刷を実行する。
【０１０９】
具体的に、キー群１００９の中からカラーキーが押されている場合の印刷制御について説明する。ここでは、原稿の画像の１〜３ページ目がカラー画像であって、４〜６ページ目がモノクロ画像であり、両面印刷が設定されている場合を例に説明する。ＣＰＵ２０１は、１ページ目と２ページ目の画像を１枚目の印刷用紙の異なる面に割り付け、１ページ目と２ページ目の画像が両方ともカラー画像であるため、それらの画像をカラー印刷用紙に両面印刷するよう印刷部２１１に指示する。
【０１１０】
次に、ＣＰＵ２０１は、３ページ目と４ページ目の画像を２枚目の印刷用紙の異なる面に割り付ける。ここで、３ページ目の画像がカラー画像であり、４ページ目の画像がモノクロ画像であるため、ＣＰＵ２０１は、図８（ａ）の画面を介してカラーキーが押されたかモノクロキーが押されたかを参照する。カラーキーが押されていると判定した場合、ＣＰＵ２０１は、それらの画像をカラー印刷用紙に両面印刷するよう印刷部２１１に指示する。
【０１１１】
さらに、ＣＰＵ２０１は、５ページ目と６ページ目の画像を３枚目の印刷用紙の異なる面に割り付け、５ページ目と６ページ目の画像が両方ともモノクロ画像であるため、それらの画像をモノクロ印刷用紙に印刷するよう印刷部２１１に指示する。
【０１１２】
印刷部は、ＣＰＵ２０１からの指示に従って、１枚目の印刷用紙としてカラー印刷用紙を給紙し、給紙されたカラー印刷用紙の表面に１ページ目の画像を印刷し、そのカラー印刷用紙の裏面に２ページ目の画像を両面印刷する。次に、印刷部２１１は、２枚目の印刷用紙としてカラー印刷用紙を給紙して、給紙されたカラー印刷用紙の表面に３ページ目の画像を印刷し、そのカラー印刷用紙の裏面に４ページ目の画像を印刷する。また、印刷部２１１は、３枚目の印刷用紙としてモノクロ印刷用紙を給紙して、給紙された印刷用紙の表面に５ページ目の画像を印刷し、そのモノクロ印刷用紙の裏面に６ページ目の画像を印刷する。
【０１１３】
一方、モノクロキーが押されている場合、１ページ目の画像は１枚目のカラー印刷用紙の表面に印刷され、２ページ目の画像は１枚目のカラー印刷用紙の裏面に印刷される。次に、３ページ目の画像は２枚目のモノクロ印刷用紙の表面に印刷され、４ページ目の画像はモノクロ印刷用紙の裏面に印刷される。そして、５ページ目の画像は、３枚目のモノクロ印刷用紙の表面に印刷され、６ページ目の画像は、モノクロ印刷用紙の裏面に印刷される。
【０１１４】
次に、図７（ｂ）に示す画面１１０４で非混在キー１１０６が押下された場合の制御について説明する。
【０１１５】
カラー印刷用紙とモノクロ印刷用紙を混在させたくない場合、図７（ｂ）に示す画面１１０４でユーザにより非混在キー１１０６が押下される。ＣＰＵ２０１は、Ｓ８１５からＳ８１９に処理を進める。Ｓ８１９で、ＣＰＵ２０１は、図８（ｂ）に示す画面１１１１をタッチパネル部９０２に表示する。
【０１１６】
画面１１１１は、キー群１１１２〜１１１４と、キー群１１１９〜１１２０、領域１１１８、ＯＫキー１１１７を備える。キー群１１１２〜１１１４は、それぞれ排他的に選択できるようになっている。また、キー群１１１９〜１１２０も、それぞれ排他的に選択できるようになっている。ユーザは、キー１１１３を選択した場合、キー群１１１９〜１１２０から１つのキーを選択する。
【０１１７】
キー１１１２は、原稿の画像のうち、１ページ目の画像がカラー画像であれば、全ページの画像をカラー印刷用紙に印刷し、１ページ目の画像がモノクロ画像であれば、全ページの画像をモノクロ印刷用紙に印刷するよう設定するキーである。キー１１１２が押された状態でＯＫキー１１１７が押された場合、Ｓ８２０で、ＣＰＵ２０１は、キー１１１２が押されたことを示す情報をメモリ部２０６に保存する。
【０１１８】
そして、Ｓ８２１で、ＣＰＵ２０１は、読み取った原稿の１ページ目の画像がカラー画像であるのか、モノクロ画像であるのかを判定する。そして、１ページ目の画像がカラー画像であれば、ＣＰＵ２０１は、カラー印刷用紙が収納された給紙カセットを自動用紙選択の対象とし、印刷部２１１に印刷指示を出す。図９（ｂ）に示すテーブルに基づいて給紙カセットを選択する場合、給紙カセット１と給紙カセット２が自動用紙選択の対象となる。この場合、印刷部２１１は、原稿の２ページ目以降の画像がカラー画像であってもモノクロ画像であっても、カラー印刷用紙が収納された給紙カセット１または給紙カセット２から印刷用紙を給紙し、給紙されたカラー印刷用紙に画像を印刷する。
【０１１９】
図９（ｂ）に示す例の場合、原稿の画像のサイズがＡ４サイズであれば給紙カセット１が選択され、原稿の画像のサイズがＡ３サイズであれば給紙カセット２が選択される。なお、同じサイズで同じ種類（カラー印刷用紙またはモノクロ印刷用紙）の印刷用紙が収納された給紙カセットが複数ある場合、作像部４０３までの搬送路が短い給紙カセットが選択される。
【０１２０】
一方、１ページ目の画像がモノクロ画像であれば、ＣＰＵ２０１は、モノクロ印刷用紙が収納された給紙カセットを自動用紙選択の対象とし、印刷部２１１に印刷指示を出す。図９（ｂ）に示すテーブルに基づいて給紙カセットを選択する場合、給紙カセット３が自動用紙選択の対象となる。給紙カセット４は自動用紙選択の対象として設定されていないため、自動用紙選択の対象とはならない。この場合、印刷部２１１は、原稿の２ページ目以降の画像がカラー画像であってもモノクロ画像であっても、モノクロ印刷用紙が収納された給紙カセット３から印刷用紙を給紙し、給紙されたモノクロ印刷用紙に画像を印刷する。図９（ｂ）に示す例の場合、原稿の画像のサイズがＡ４サイズであれば給紙カセット３が選択される。原稿の画像のサイズがＡ３サイズであれば、Ａ３サイズの印刷用紙が収納された給紙カセットがない旨を通知するメッセージがタッチパネル部９０２に表示される。なお、同じサイズで同じ種類（カラー印刷用紙またはモノクロ印刷用紙）の印刷用紙が収納された給紙カセットが複数ある場合、作像部４０３までの搬送路が短い給紙カセットが選択される。
【０１２１】
キー１１１３は、複数ページの原稿の画像に、カラーのページの画像とモノクロのページの画像の両方が存在することを条件に設定するキーである。キー１１１３とカラー印刷用紙選択キー１１１９が押された状態でＯＫキー１１１７が押された場合、Ｓ８２０で、ＣＰＵ２０１は、キー１１１３とカラー印刷用紙選択キー１１１９が押されたことを示す情報をメモリ部２０６に保存する。
【０１２２】
Ｓ８２１で、ＣＰＵ２０１は、複数ページの原稿の画像に、カラーのページの画像とモノクロのページの画像の両方が存在すれば、原稿の画像に含まれる全てのページの画像をカラー印刷用紙に印刷するよう制御する。一方、ＣＰＵ２０１は、複数ページの原稿の画像に、カラーのページの画像しか存在しなければ、原稿の画像に含まれる全てのページの画像をカラー印刷用紙に印刷するよう制御する。また、モノクロのページの画像しか存在しない場合、原稿の画像に含まれる全てのページの画像をモノクロ印刷用紙に印刷するよう制御する。
【０１２３】
キー１１１３とモノクロ印刷用紙選択ボタン１１２０が押された状態でＯＫキー１１１７が押された場合、Ｓ８２０で、ＣＰＵ２０１は、キー１１１３とモノクロ印刷用紙選択ボタン１１２０が押されたことを示す情報をメモリ部２０６に保存する。
【０１２４】
そして、Ｓ８２１で、ＣＰＵ２０１は、複数ページの原稿の画像に、カラーのページの画像とモノクロのページの画像の両方が存在する場合に、原稿の画像に含まれる全てのページの画像をモノクロ印刷用紙に印刷するよう制御する。一方、ＣＰＵ２０１は、複数ページの原稿の画像に、カラーのページしか存在しない場合、原稿の画像に含まれる全てのページの画像をカラー印刷用紙に印刷するよう制御する。また、モノクロのページの画像しか存在しない場合、ＣＰＵ２０１は、原稿の画像に含まれる全てのページの画像をモノクロ印刷用紙に印刷するよう制御する。
【０１２５】
キー１１１４は、原稿の画像の総ページ数に対するカラーのページの比率がＸ％を超えたことを条件に、カラー印刷用紙を使用するよう設定するボタンである。キー１１１４が押された状態でＯＫキー１１１７が押された場合、Ｓ８２０で、ＣＰＵ２０１は、キー１１１４が押されたことを示す情報をメモリ部２０６に保存する。
【０１２６】
そして、Ｓ８２１で、ＣＰＵ２０１は、原稿の画像の総ページ数に対するカラーページ数の比率を算出する。そして、ＣＰＵ２０１は、総ページ数に対するカラーページ数の比率がＸ％を超えていると判定した場合に、原稿の画像に含まれる全てのページの画像をカラー印刷用紙に印刷するよう制御する。一方、ＣＰＵ２０１は、総ページ数に対するカラーページ数の比率がＸ％以下であると判定した場合に、原稿の画像に含まれる全てのページの画像をモノクロ印刷用紙に印刷するよう制御する。なお、Ｘの値は変更可能である。具体的に、ユーザは領域１１１８を指定した後、テンキー９０６で数値を入力することによって、Ｘの値を変更することができる。
【０１２７】
以上のように制御することによって、オートカラー選択機能と自動用紙選択機能の両方が指定されている場合に、ユーザは、カラー印刷用紙とモノクロ印刷用紙が混在する印刷物が出力される可能性があることを印刷の開始前に知ることができる。
【０１２８】
そして、ユーザは、カラー印刷用紙とモノクロ印刷用紙が混在する印刷物が出力される可能性がある場合に、本実施形態で説明した種々の詳細な設定を行うことができる。
【０１２９】
（その他の実施形態）
なお、上述した実施形態では、カラー印刷用紙とモノクロ印刷用紙が混在する印刷物が出力される可能性がある場合、図８（ｂ）に示す画面で、条件付きで、カラー印刷用紙またはモノクロ印刷用紙を使用させる例を説明した。しかしながら、本発明は、これに限らず、条件によらずに、ジョブのために使用する印刷用紙としてカラー印刷用紙またはモノクロ印刷用紙を任意にユーザが選択できるようにしてもよい。ジョブのために使用する印刷用紙としてカラー印刷用紙が選択された場合、ＣＰＵ２０１は、そのジョブを実行することによって印刷される全てのページの画像をカラー印刷用紙に印刷するよう制御する。一方、ジョブのために使用する印刷用紙としてモノクロ印刷用紙が選択された場合、ＣＰＵ２０１は、そのジョブを実行することによって印刷される全てのページの画像をモノクロ印刷用紙に印刷するよう制御する。
【０１３０】
また、上述した実施形態では、Ｓ８０３で、複数枚の原稿の読み取りが完了してからＳ８２２で画像の印刷を開始する例を説明したが、本発明はこれに限られない。
【０１３１】
即ち、スタートキー９０５が押された時点で、ＣＰＵ２０１は、自動用紙選択機能とオートカラーセレクト機能の少なくとも一方が有効に設定されていなければ、原稿の画像の読取処理と、読み取った画像の印刷処理とを並行して行うようにしてもよい。一方、スタートキー９０５が押された時点で、ＣＰＵ２０１は、自動用紙選択機能とオートカラーセレクト機能の両方が有効に設定されていれば、原稿の画像の読取処理が完了するまで、画像の印刷処理を開始しない。そして、原稿の画像の読取処理が完了してから、ＣＰＵ２０１は、画像の印刷を開始する。
【０１３２】
このように、自動用紙選択機能とオートカラーセレクト機能の少なくとも一方が有効に設定されておらず、複数枚の原稿の読み取りが完了する前に、使用する給紙カセットを確定することができる場合は、次のように制御する。原稿の画像の読取処理と、読み取った画像の印刷処理とを並行して行う。それによって、生産性を極力維持することができる。
【０１３３】
また、上述した実施形態では、Ｓ８２７で、印刷に必要な印刷用紙の枚数が複数枚であると判定された場合に、Ｓ８１０に処理を進める例を説明したが、Ｓ８１０を経由せずに、印刷用紙の混載、非混載の選択画面を表示するＳ８１４に処理を進めてもよい。
【０１３４】
また、上述した実施形態では、Ｓ８０４及びＳ８０６の判定に従って、自動用紙選択機能及びオートカラーセレクト機能の両方が有効に設定されている場合に、Ｓ８２７に処理を進める例を説明したが、本発明はこれに限られない。ＣＰＵ２０１は、自動用紙選択機能及びオートカラーセレクト機能の両方が有効に設定されている場合で、且つ、原稿の画像にカラーページとモノクロページとが混在する場合に限り、Ｓ８２７に処理をすすめてもよい。一方、ＣＰＵ２０１は、自動用紙選択機能及びオートカラーセレクト機能の両方が有効に設定されていても、原稿の画像データに含まれるページが全てカラーページである場合には、Ｓ８２７以降の処理を行わずに、カラー印刷用紙を選択して印刷する。また、ＣＰＵ２０１は、自動用紙選択機能及びオートカラーセレクト機能の両方が有効に設定されていても、原稿の画像データに含まれるページが全てモノクロページである場合には、Ｓ８２７以降の処理を行わずに、モノクロ印刷用紙を選択して印刷する。それによって、例えば、図７（ａ）に示す画面や、図７（ｂ）に示す画面を表示する必要がない場合にまで表示が行われることを防ぐことができる。
【０１３５】
以上の説明では、スキャナ部２０７によって読み取った原稿の画像を印刷部２１１で印刷するコピージョブを実行する場合を説明した。しかしながら、本発明は、これに限られるものではなく、外部のＰＣまたはサーバからＮＩＣ部２０８を介して受信した印刷データの画像を印刷部２１１で印刷する印刷ジョブに実行してもよい。その場合、ＣＰＵ２０１は、Ｓ８０３で印刷データと、外部のＰＣまたはサーバで設定された印刷設定を受信する。なお、外部ＰＣでは、図４（ａ）〜（ｃ）で設定可能な項目と同様の設定を行えるようにする。そして、ＣＰＵ２０１は、受信した印刷データを画像処理部２０４で画像データに展開し、展開された画像データの色種別の判定を色判定部２１３によって行う。そして、ＣＰＵ２０１は、受信した印刷設定に従ってＳ８０４以降の処理を行う。
【０１３６】
なお、上述した実施形態では、１枚の印刷用紙にカラー画像とモノクロ画像が印刷されるケースとして、原稿の画像の１〜３ページ目がカラー画像であって、４〜６ページ目がモノクロ画像であり、２ｉｎ１または両面印刷を行うよう設定されているケースを説明した。
【０１３７】
しかしながら、本発明はこれに限られるものではない。例えば、１枚の印刷用紙にカラー画像とモノクロ画像が印刷されるケースとして、原稿の画像の１〜３ページ目がカラー画像であって、４〜６ページ目がモノクロ画像であり、２ｉｎ１または製本用の印刷を行うよう設定されているケースに適用しても良い。具体的に、Ｓ８１６で、ＣＰＵ２０１は、図８に示す画面の代わりに、図１１に示す画面を表示すればよい。図１１に示す画面は、図８に示す画面に加えて、キー群１０１０が追加されている。
【０１３８】
製本される用紙には、製本される用紙の第１面に２ページ分の画像が印刷され、第２面に２ページ分の画像が印刷される。つまり、１枚の用紙の表裏に合計４ページの画像が印刷される。キー群１０１０は、１枚の用紙の表裏に印刷される４ページの画像のうち何ページの画像がカラー画像のときにカラー印刷用紙を用いるかを設定するために用いられる。例えば、ユーザが、「４ページ中の２ページがカラー」と「４ページ中の３ページがカラー」のチェックボックスを指定したとする。その場合、ＣＰＵ２０１は、１枚の用紙の表裏にレイアウトすべき画像のうち、２ページまたは３ページの画像がカラー画像であり、残りの画像がモノクロ画像である場合に、カラー印刷用紙を使用する。一方、ＣＰＵ２０１は、１枚の用紙の表裏にレイアウトすべき画像のうち、１ページの画像がカラー画像であり、残りの画像がモノクロ画像である場合に、モノクロ印刷用紙を使用する。
【０１３９】
なお、本実施形態では、製本装置を備えていないＭＦＰ１００が製本用の印刷をする例を説明した。製本装置を備えていないＭＦＰ１００で製本用の印刷がされた用紙を、ユーザは、別の製本処理専用の装置にセットし、中綴じ製本処理または中折り製本処理を実行させることができる。しかしながら、本発明は、これに限らず、ＭＦＰ１００が中綴じ製本処理または中折り製本処理を実行可能な製本装置を備えていてもよい。その場合、ＣＰＵ２０１は、ＭＦＰ１００によって印刷された印刷用紙を製本装置まで搬送し、製本装置に中綴じ製本処理または中折り製本処理を実行させることができる。
【０１４０】
本実施形態におけるフローチャートに示す機能は、ネットワーク又は各種記憶媒体を介して取得したソフトウエア（プログラム）をコンピュータパソコン等の処理装置（ＣＰＵ、プロセッサ）にて実行することでも実現できる。
【符号の説明】
【０１４１】
２０１  ＣＰＵ
２０２  ＲＯＭ
２０７  スキャナ部
【図１】
2013167872.tif 000003
【図２】
2013167872.tif 000004
【図３】
2013167872.tif 000005
【図４】
2013167872.tif 000006
【図５】
2013167872.tif 000007
【図６】
2013167872.tif 000008
【図７】
2013167872.tif 000009
【図８】
2013167872.tif 000010
【図９】
2013167872.tif 000011
【図１０】
2013167872.tif 000012
【図１１】
2013167872.tif 000013